(57)【要約】      （修正有）【課題】国際規格ＩＳＯ８０３６９−３に準拠したコネクタなどの経腸栄養に用いられるコネクタに接続可能であり、粘度の高い栄養剤を注入する際でも、その注入抵抗を低減させることができる医療用シリンジを提供する。【解決手段】国際規格ＩＳＯ８０３６９−３に準拠したコネクタに接続可能で、栄養剤の注入に使用されるシリンジである。シリンジは、筒状の本体１ａと、前記本体の一端に設けられた栄養剤注入口１ｂとを具え、栄養剤注入口の内腔１１の内面は、絞り部が一切ない平滑で同径の面に形成されている。【選択図】図３
0003222455.tif 000002
【実用新案登録請求の範囲】
【請求項１】
国際規格ＩＳＯ８０３６９−３に準拠したコネクタに接続可能で、栄養剤の注入に使用されるシリンジであって、筒状の本体と、前記本体の一端に設けられた栄養剤注入口とを具え、前記栄養剤注入口の内腔の内面は、絞り部が一切ない平滑で同径の面に形成されていることを特徴とする医療用シリンジ。
【考案の詳細な説明】
【技術分野】
【０００１】
この考案は、医療用シリンジに関し、詳しくは、栄養剤の注入に際し、その注入抵抗を低減することを可能とした技術に係るものである。
【背景技術】
【０００２】
近年、医療用コネクタのベットサイドにおける誤接続による医療事故が多数発生し（例えば輸液点滴ラインに経腸栄養剤を誤接続して投与してしまう等）ており、その対応策として誤接続防止コネクタの国際規格化（ＩＳＯ標準規格８０３６９−３）が進められており、栄養剤の注入用シリンジもその対象となっている。
【０００３】
先行技術文献としては、特開２０１５−１９２７２９号公報（特許文献１）がある。ここに開示されているシリンジは、その接続口が国際規格ＩＳＯ８０３６９−３に準拠しており、栄養剤を注入する際に接続されたオスコネクタの先端が栄養剤で汚れるのを防止するためにオスコネクタとの接触部分となる口部の基端側内面に内腔を径小とする絞り部を設けている。この絞り部は、具体的には第１メステーパ面と第２メステーパ面によって形成されている。そのため、栄養剤にトロミ剤や増粘剤を加えて粘度を高くした半固形剤では、流動性が低いので、圧力をかけて注入されるが、前記オスコネクタとの接触部分に絞り部が設けられた前記シリンジでは、この絞り部が栄養剤を注入する際に大きな抵抗となり、注入に難渋するという問題がある。
【先行技術文献】
【特許文献】
【０００４】
【特許文献１】特開２０１５−１９２７２９号公報
【考案の概要】
【考案が解決しようとする課題】
【０００５】
そこでこの考案は、前記従来の問題を解決し、国際規格ＩＳＯ８０３６９−３に準拠したコネクタなどの経腸栄養に用いられるコネクタに接続可能であり、粘度の高い栄養剤を注入する際でも、その注入抵抗を低減させることができるようにすることを技術的課題とする。
【課題を解決するための手段】
【０００６】
前記課題を解決するために、この考案は、国際規格ＩＳＯ８０３６９−３に準拠したコネクタに接続可能で、栄養剤の注入に使用されるシリンジであって、筒状の本体と、前記本体の一端に設けられた栄養剤注入口とを具え、前記栄養剤注入口の内腔の内面は、絞り部が一切ない平滑で同径の面に形成されていることを特徴とする。
【考案の効果】
【０００７】
この考案は、前記のようであって、筒状の本体と、前記本体の一端に設けられた栄養剤注入口とを具え、前記栄養剤注入口の内腔の内面は、絞り部が一切ない平滑で同径の面に形成されているため、国際規格ＩＳＯ８０３６９−３に準拠しない内径の内腔を利用して、先行技術文献（特許文献１）のシリンジではできなかった流動性が低い、粘度の高い栄養剤でもスムーズかつ迅速に注入することが可能となった。
【図面の簡単な説明】
【０００８】
【図１】この考案の一実施の形態のシリンジを含む装置全体を示す概略正面図である。
【図２】同上のシリンジの分解正面図である。
【図３】コネクタに装着した状態を示すシリンジ先端部の拡大断面図である。
【図４】シリンジを示し、（Ａ）はシリンジ先端の拡大断面図、（Ｂ）は国際規格ＩＳＯ８０３６９−３に準拠したシリンジ先端の拡大断面図である。
【考案を実施するための形態】
【０００９】
以下、図面を参照しながら、この考案の一実施の形態について説明する。
【００１０】
図１において、１はシリンジである。このシリンジ１は、図２にも示すように、中空円筒状の本体１ａと、前記本体の一端に設けられた栄養剤注入口１ｂと、を具え、注入口１ｂ側がコネクタ２に接続されるようになっている。コネクタ２が後端開口部に装着された胃瘻カテーテルチューブ３は、その先端開口部近くにバルーン４が取り付けられているとともに、該バルーンよりも後端側に腹壁に当接するストッパ５が設けられている。本体１ａは、シリンジ１の外筒ともいえるものである。７はシリンジ１と併せて使用するプランジャである。
【００１１】
図３，４に示すように、シリンジ１の栄養剤注入口１ｂの口部外周面にはネジ１０が形成されており、国際規格ＩＳＯ８０３６９−３に準拠したコネクタ２とネジ１０によって接続可能となっている。図３に示すコネクタ２は、コネクタ本体部２ａと、該コネクタ本体部に取り付けられるルアーロック部２ｂと、これら両部によって挟持されて配設される環状のシール部材２ｃとからなっている。
【００１２】
図４（Ａ）に示すように、シリンジ１の口部である栄養剤注入口１ｂの内腔１１は粘度の高い栄養剤であっても容易に注入可能なように、その内径ｒが３．０６ｍｍ〜５．８ｍｍに設定されている。一方、該栄養剤注入口１ｂのネジ１０の外径Ｒは、国際規格ＩＳＯ８０３６９−３に準拠したコネクタなどと接続して使用する必要上、９．９３ｍｍに設定されている。すなわち、外径Ｒは栄養ラインなどと接続可能とするために国際規格ＩＳＯ８０３６９−３に準拠したサイズとしつつも、内径ｒは栄養剤の注入抵抗を低減させるために国際規格ＩＳＯ８０３６９−３に準拠せずに独自のサイズにしている。これに対して、図４（Ｂ）に示す国際規格ＩＳＯ８０３６９−３のシリンジ１ｂ´は、本体１ａの内腔の内面に内腔を径小とする絞り部１２´が設けられ、その内径ｒ´が２．９ｍｍとなっている。そのため、粘度の高い栄養剤を注入する際には大きな抵抗となってしまい、注入に難があるものとなる。
【００１３】
図４（Ａ）から明らかなように、シリンジ１の栄養剤注入口１ｂの内腔１１の内面は、その先端から基端まで従来技術ではあるような絞り部１２´が一切ない平滑で同径の面に形成されている。したがって、内腔１１を通る栄養剤は何ら余計な抵抗を受けることなくスムーズに通ることが可能である。そのため、栄養剤を胃瘻カテーテルチューブ３内に迅速に注入することができる。
【００１４】
シリンジ１の組み付けについて説明する。シリンジ１と胃瘻カテーテルチューブ３を接続するには、まず、シリンジ１の栄養剤注入口１ｂをコネクタ２に向けて挿入してやり、ネジ１０等によりロックする（この状態を示すのが図３である）。しかる後、胃瘻カテーテルチューブ３の上端開口部にコネクタ２を挿入して装着する。この装着が完了すると、組み付けられた状態になる。
【００１５】
使用に際しては、図１に示すように、胃瘻カテーテルチューブ３をバルーン４のある先端側から腹壁と胃壁を経て胃瘻にバルーン４を含む先端部を挿入してやる。挿入後、バルーン４を膨らませるとともに、ストッパ５を腹壁に当接してバルーン４との間で両壁を挟むようにして固定する。固定したことを確認したうえ、胃瘻カテーテルチューブ３にコネクタ２を装着したシリンジ１を接続してやる。このとき、プランジャ７を押し込みシリンジ内の栄養剤を押し出し、胃瘻カテーテルチューブ３内から胃へと栄養剤を注入させることが可能である。この栄養剤の注入に際し、栄養剤が通過するシリンジ１の栄養剤注入口１ｂの内腔１１は粘度の高い栄養剤であっても容易に注入可能なようにその内径ｒが３．０６ｍｍ〜５．８ｍｍに設定され、その内面は内腔１１を径小とする絞り部が一切ない平滑で同径の面に形成されているため、注入に何ら支障となることなく、ここを通過することができる。したがって、従前のシリンジ１ｂ´のように注入時に高い抵抗を受けることがない。
【００１６】
しかも、栄養剤注入口１ｂのネジ１０の外径は国際規格ＩＳＯ８０３６９−３になっているため、国際規格ＩＳＯ８０３６９−３に適応したコネクタ２を利用可能であり、誤接続をも防止できる。
【００１７】
以上説明したように、この実施の形態のシリンジ１を用いれば、従来の国際規格ＩＳＯ８０３６９−３のシリンジ１ｂ´ではできないスムーズな栄養剤の注入を可能とすることができ、現状の医療現場で役立てることができる。したがって、この技術分野において極めて利用価値の高い製品を提供することができるという優れた効果が期待することができる。
【００１８】
この実施の形態で示したシリンジ１はあくまでも好ましい一例を示すものであり、その具体的な形状や構造等は実用新案登録請求の範囲内で適宜設計変更が可能であることは云うまでもない。
【符号の説明】
【００１９】
１  シリンジ
１ａ  本体
１ｂ  栄養剤注入口
２  コネクタ
３  胃瘻カテーテルチューブ
４  バルーン
５  ストッパ
７  プランジャ
１０  ネジ
１１  内腔
【図１】
0003222455.tif 000003
【図２】
0003222455.tif 000004
【図３】
0003222455.tif 000005
【図４】
0003222455.tif 000006